(57)【要約】【課題】従来の試験管に代えて使用することが可能で、一般ゴミとして廃棄することができ、安価で使い捨て可能な試験管代用袋を提供する。【解決手段】平面部フィルム材１０の左・右の側縁部と、縦寸法が平面部フィルム材と同等で横寸法が平面部フィルム材より大きい曲面部フィルム材１２の左・右の側縁部とを互いに揃えて接着し、平面状態の平面部フィルム材に対して曲面部フィルム材を規則的な波形に折曲し、曲面部フィルム材の各谷部と平面部フィルム材とを、側辺に沿った直線状に等間隔で接着して、互いに平行な複数の筒部を形成し、平面部フィルム材の上・下縁部と曲面部フィルム材の上・下縁部とを、曲面部フィルム材の上・下縁部に襞１６を形成しつつ接着して、各筒部の上・下の開口を閉塞し、密封された同一内容積の複数の収容部１８を連接して形設した。【選択図】      図１
2004267818.tif 000002
【特許請求の範囲】
【請求項１】
矩形状の平面部フィルム材と、縦寸法が前記平面部フィルム材と同等で横寸法が平面部フィルム材より大きい矩形状の曲面部フィルム材とを接合して形成され、
前記平面部フィルム材の左・右の側縁部と前記曲面部フィルム材の左・右の側縁部とをそれぞれ互いに揃えて接着するとともに、平面状態の前記平面部フィルム材に対して前記曲面部フィルム材を規則的な波形に折曲し、曲面部フィルム材の各谷部と平面部フィルム材とを、それぞれ側辺に沿った直線状に等間隔で接着して、平面部フィルム材と曲面部フィルム材とで互いに平行な複数の筒部を形成し、
前記平面部フィルム材の上縁部および下縁部と前記曲面部フィルム材の上縁部および下縁部とを、曲面部フィルム材の上・下各縁部にそれぞれ襞を形成しつつそれぞれ接着して、前記各筒部の上・下の開口をそれぞれ閉塞し、
それぞれ密封された同一内容積の複数の収容部が連接して形設されたことを特徴とする試験管代用袋。
【請求項２】
隣り合った前記各収容部間に、相互を切り離すための切断線が加工形成された請求項１記載の試験管代用袋。
【請求項３】
前記切断線が断続的な切り目である請求項２記載の試験管代用袋。
【請求項４】
短冊状の平面部フィルム材と、縦寸法が前記平面部フィルム材と同等で横寸法が平面部フィルム材より大きい短冊状の曲面部フィルム材とを接合して形成され、
平面状態の前記平面部フィルム材に対して前記曲面部フィルム材を湾曲させ、前記平面部フィルム材の左・右の側縁部と前記曲面部フィルム材の左・右の側縁部とをそれぞれ互いに揃えて接着して、平面部フィルム材と曲面部フィルム材とで筒部を形成し、
前記平面部フィルム材の上縁部および下縁部と前記曲面部フィルム材の上縁部および下縁部とを、曲面部フィルム材の上・下各縁部にそれぞれ襞を形成しつつそれぞれ接着して、前記筒部の上・下の開口をそれぞれ閉塞し、密封された収容部が形設されたことを特徴とする試験管代用袋。
【請求項５】
接着された上縁部の付近に、前記収容部を開封するための開封手段が設けられた請求項１ないし請求項４のいずれかに記載の試験管代用袋。
【請求項６】
前記開封手段が、側縁部に形設されたノッチであり、前記平面部フィルム材および前記曲面部フィルム材がそれぞれ、横方向に１軸延伸加工された合成樹脂フィルム材である請求項５記載の試験管代用袋。
【発明の詳細な説明】
【０００１】
【発明の属する技術分野】
この発明は、従来のガラス製やプラスチック製の試験管に代えて使用することができ、安価で使い捨て可能な（ディスポーザブル）試験管代用袋に関する。
【０００２】
【従来の技術】
例えば、混釈平板培養法により生菌数を測定する場合においては、各種濃度の試料液（菌液）を含む培地の系列を作るために、試料原液を１０倍、１００倍、１０００倍、……というように１０倍ごとに段階希釈する。また、寒天平板希釈法により化学療法剤に対する細菌類の感受性を検査する場合においては、各種濃度の試料（試験薬剤）を含む培地の系列を作るために、試験薬剤を１０段階〜１５段階程度に２倍ごとに段階希釈する。このように、段階希釈された菌液や試験薬剤等の試料液を調製する際には、ガラス製やプラスチック製の多数本の試験管が使用される（例えば、特許文献１参照）。
【０００３】
【特許文献１】
特開平３−４１３６４号公報（第２頁）
【０００４】
【発明が解決しようとする課題】
上記したように、菌液や試験薬剤等の試料を段階希釈して各種濃度の試料液を調製するのには、ガラス製やプラスチック製の多数本の試験管が使用されるが、一度使用された試験管、特に菌液を段階希釈するのに使用された試験管は、通常、廃棄される。ところが、ガラス製の試験管は、滅菌処理したとしても、一般ゴミとしては廃棄することができず、廃棄処理が厄介である。また、試験管は、１本当たりの単価は低くても、試験管を大量に使用する事業所、例えば臨床検査センターや製薬会社の研究所等では、年間を通じると相当程度の経費がかかることになる。一方、使用後の試験管を洗浄し滅菌処理して再使用しようとすると、その手間が大変であり、能率的にも、また経費の面からみても、やはり廃棄した方が有利である。
【０００５】
この発明は、以上のような事情に鑑みてなされたものであり、従来のガラス製やプラスチック製の試験管に代えて使用することが可能であり、一般ゴミとして廃棄することができ、安価で使い捨て可能な試験管代用袋を提供することを目的とする。
【０００６】
【課題を解決するための手段】
請求項１に係る発明は、ガラス製やプラスチック製の試験管に代えて使用することができる試験管代用袋において、矩形状の平面部フィルム材と、縦寸法が前記平面部フィルム材と同等で横寸法が平面部フィルム材より大きい矩形状の曲面部フィルム材とを接合して形成され、前記平面部フィルム材の左・右の側縁部と前記曲面部フィルム材の左・右の側縁部とをそれぞれ互いに揃えて接着するとともに、平面状態の前記平面部フィルム材に対して前記曲面部フィルム材を規則的な波形に折曲し、曲面部フィルム材の各谷部と平面部フィルム材とを、それぞれ側辺に沿った直線状に等間隔で接着して、平面部フィルム材と曲面部フィルム材とで互いに平行な複数の筒部を形成し、前記平面部フィルム材の上縁部および下縁部と前記曲面部フィルム材の上縁部および下縁部とを、曲面部フィルム材の上・下各縁部にそれぞれ襞を形成しつつそれぞれ接着して、前記各筒部の上・下の開口をそれぞれ閉塞し、それぞれ密封された同一内容積の複数の収容部が連接して形設されたことを特徴とする。
【０００７】
請求項２に係る発明は、請求項１記載の試験管代用袋において、隣り合った前記各収容部間に、相互を切り離すための切断線を加工形成したことを特徴とする。
【０００８】
請求項３に係る発明は、請求項２記載の試験管代用袋において、前記切断線が断続的な切り目であることを特徴とする。
【０００９】
請求項４に係る発明は、ガラス製やプラスチック製の試験管に代えて使用することができる試験管代用袋において、短冊状の平面部フィルム材と、縦寸法が前記平面部フィルム材と同等で横寸法が平面部フィルム材より大きい短冊状の曲面部フィルム材とを接合して形成され、平面状態の前記平面部フィルム材に対して前記曲面部フィルム材を湾曲させ、前記平面部フィルム材の左・右の側縁部と前記曲面部フィルム材の左・右の側縁部とをそれぞれ互いに揃えて接着して、平面部フィルム材と曲面部フィルム材とで筒部を形成し、前記平面部フィルム材の上縁部および下縁部と前記曲面部フィルム材の上縁部および下縁部とを、曲面部フィルム材の上・下各縁部にそれぞれ襞を形成しつつそれぞれ接着して、前記筒部の上・下の開口をそれぞれ閉塞し、密封された収容部が形設されたことを特徴とする。
【００１０】
請求項５に係る発明は、請求項１ないし請求項４のいずれかに記載の試験管代用袋において、接着された上縁部の付近に、前記収容部を開封するための開封手段を設けたことを特徴とする。
【００１１】
請求項６に係る発明は、請求項５記載の試験管代用袋において、前記開封手段が、側縁部に形設されたノッチであり、前記平面部フィルム材および前記曲面部フィルム材がそれぞれ、横方向に１軸延伸加工された合成樹脂フィルム材であることを特徴とする。
【００１２】
請求項１に係る発明の試験管代用袋には、それぞれ密封された同一内容積の複数の収容部が連接して形設されており、袋自体に設けられた開封手段により、あるいは、鋏等の器具を用いて、密封された収容部を開封すると、平面部フィルム材とこの平面部フィルムより横寸法が大きい曲面部フィルム材とを接合して形成された筒部は、手を触れなくても曲面部フィルム材の弾性によって開封部分が復元的に自然と大きく開口する。したがって、ピペット等を使用して、大きく開いた開口部を通し収容部内へ試料液等を分注することにより、試験管として使用することが可能である。また、この試験管代用袋は、フィルム材で形成されているので、可撓性を有している。このため、例えば、収容部内へ試料液を分注した後に希釈水を分注して、試料液を希釈するような場合においては、指先で袋の底部付近を何度か摘むことにより、簡便に試料液と希釈水とを均一に混合することができる。
【００１３】
また、この試験管代用袋には複数の収容部が連接して形設されているが、この袋自体に加工形成された切断手段により、あるいは、鋏等の器具を用いて、隣り合った各収容部間を切断することにより、収容部を相互に切り離すことができる。したがって、必要な本数だけ収容部を１本ずつ切り離して使用することが可能である。さらに、この試験管代用袋は、フィルム材で形成されているので、使用後に必要に応じて滅菌処理するなどすれば、一般ゴミとして廃棄することが可能である。
【００１４】
請求項２に係る発明の試験管代用袋では、隣り合った各収容部間に加工形成された切断線に沿って袋を切断することにより、収容部を相互に切り離すことができる。
【００１５】
請求項３に係る発明の試験管代用袋では、隣り合った各収容部間に加工形成された断続的な切り目の部分で袋を切断することにより、収容部を相互に容易に切り離すことができる。
【００１６】
請求項４に係る発明の試験管代用袋には、密封された収容部が形設されており、袋自体に設けられた開封手段により、あるいは、鋏等の器具を用いて、密封された収容部を開封すると、平面部フィルム材とこの平面部フィルムより横寸法が大きい曲面部フィルム材とを接合して形成された筒部は、手を触れなくても曲面部フィルム材の弾性によって開封部分が復元的に自然と大きく開口する。したがって、ピペット等を使用して、大きく開いた開口部を通し収容部内へ試料液等を分注することにより、試験管として使用することが可能である。また、この試験管代用袋は、フィルム材で形成されているので、可撓性を有している。このため、例えば、収容部内へ試料液を分注した後に希釈水を分注して、試料液を希釈するような場合においては、指先で袋の底部付近を何度か摘むことにより、簡便に試料液と希釈水とを均一に混合することができる。さらに、この試験管代用袋は、フィルム材で形成されているので、使用後に必要に応じて滅菌処理するなどすれば、一般ゴミとして廃棄することが可能である。
【００１７】
請求項５に係る発明の試験管代用袋では、袋自体に設けられた開封手段により、収容部を開封することができる。
【００１８】
請求項６に係る発明の試験管代用袋では、それぞれ横方向に１軸延伸加工された合成樹脂フィルム材で形成された平面部フィルム材と曲面部フィルム材とを接合して袋が構成されているので、片方の手の親指と人差し指およびもう一方の手の親指と人差し指とで、側縁部に形設されたノッチを挟んでその両側をそれぞれ摘み、ノッチを始端として袋を横方向に引き裂くことにより、収容部を容易に開封することができる。
【００１９】
【発明の実施の形態】
以下、この発明の好適な実施形態について図面を参照しながら説明する。
【００２０】
図１ないし図５は、この発明の実施形態の１例を示し、図１は、試験管代用袋の正面図であり、図２は、その平面図であり、図３は、試験管代用袋を図１の矢印Ａ方向から見た部分拡大平面図であり、図４は、図３のＢ部分をさらに拡大した平面図であり、図５は、図１のＶ−Ｖ矢視拡大断面図である。
【００２１】
この試験管代用袋は、２枚の矩形状フィルム材１０、１２を接合して形成されている。両フィルム材１０、１２は、それぞれの縦寸法が同等であり、図６に斜視図を示すように、一方のフィルム材１０（これを「平面部フィルム材１０」という）の横寸法より他方のフィルム材１２（これを「曲面部フィルム材１２」という）の横寸法が大きくなっている。そして、平面部フィルム材１０の左・右の側縁部と曲面部フィルム材１２の左・右の側縁部とをそれぞれ互いに揃えて接着、例えば熱接着（ヒートシール）するとともに、平面状態の平面部フィルム材１０に対して曲面部フィルム材１２を規則的な波形に折曲し、曲面部フィルム材１２の各谷部と平面部フィルム材１０とを、それぞれ側辺に沿った直線状に等間隔で熱接着することにより、図７に斜視図を示すように、平面部フィルム材１０と曲面部フィルム材１２とで互いに平行な複数の筒部１４が形成されるようにする。
【００２２】
図７に示したように、平面部フィルム材１０と曲面部フィルム材１２とを熱接着して複数の筒部１４を形成した後、平面部フィルム材１０の上縁部および下縁部と曲面部フィルム材１２の上縁部および下縁部とをそれぞれ熱接着する。このとき、筒部１４の開口部分は、平面部フィルム材１０が平面状態であるのに対して曲面部フィルム材１２が湾曲しているので、図３および図４に示すように、曲面部フィルム材１２の上・下各縁部にそれぞれ襞（タック）１６を形成しつつ、平面部フィルム材１０の上・下縁部と曲面部フィルム材１２の上・下縁部とをそれぞれ熱接着して、各筒部１４の上・下の開口をそれぞれ扁平状に閉塞する。以上のような工程により、図１および図２に示すように、それぞれ密封された同一内容積の複数の収容部１８が連接して形設された試験管代用袋が製作される。
【００２３】
この試験管代用袋は、収容部１８が密封されているので、無菌状態に保たれた作業室内でその製作を行うようにすることにより、開封されるまで収容部１８の内部を無菌的・衛生的に保持することができる。
【００２４】
また、この試験管代用袋には、図１に示すように、側縁部にノッチ２０が形設されている。そして、ノッチ２０を始端として袋面を横方向（上辺および下辺に沿った方向）へ容易に引き裂くことができるように、平面部フィルム材１０および曲面部フィルム材１２として、横方向に１軸延伸加工された合成樹脂フィルム材がそれぞれ使用される。また、この試験管代用袋には、隣り合った各収容部１８間に、相互を切り離すための断続的な切り目からなる切断線２２が加工形成されている。
【００２５】
上記したように構成された試験管代用袋は、片方の手の親指と人差し指およびもう一方の手の親指と人差し指とで、側縁部に形設されたノッチ２０を挟んでその両側をそれぞれ摘み、ノッチ２０を始端として袋を横方向に引き裂くことにより、各収容部１８がそれぞれ容易に開封される。このようにして、密封された収容部１８が開封されると、図８に斜視図を示すように、収容部１８の開封部分は、手を触れなくても曲面部フィルム材１２の弾性によって復元的に自然と大きく開口する。このため、ピペット等を使用して、大きく開いた開口部２４を通し、底部が閉塞された収容部１８内へ試料液を分注することができる。したがって、この試験管代用袋は、試験管として使用することが可能である。なお、収容部１８内へ分注する試料は、試料液に限らず、液体培地等であってもよい。
【００２６】
また、この試験管代用袋は、可撓性を有するフィルム材で形成されている。このため、例えば、収容部１８内へ試料液を分注した後に希釈水を分注して、試料液を希釈するような場合においては、指先で袋の底部付近を何度か摘むことにより、簡便に試料液と希釈水とを均一に混合することができる。
【００２７】
また、この試験管代用袋は、隣り合った各収容部１８間に加工形成された切断線２２に沿って袋を切断することにより、図９に斜視図を示すように、収容部１８を相互に切り離すことができる。したがって、必要な本数だけ収容部１８を１本ずつ切り離して使用することが可能である。さらに、この試験管代用袋は、フィルム材で形成されているので、使用後に必要に応じて滅菌処理するなどすれば、ガラス製の試験管とは異なり一般ゴミとして廃棄することが可能である。
【００２８】
図１ないし図９に示した試験管代用袋は、それぞれ密封された同一内容積の複数の収容部１８が連接して形設された構成であるが、図１０ないし図１２に示すように、収容部を１つだけ形設して試験管代用袋を構成することもできる。すなわち、図１０に正面図を示した試験管代用袋は、２枚の短冊状フィルム材３０、３２を接合して形成されている。両フィルム材３０、３２は、それぞれの縦寸法が同等であり、図１１に斜視図を示すように、一方のフィルム材３０（これを「平面部フィルム材３０」という）の横寸法より他方のフィルム材３２（これを「曲面部フィルム材３２」という）の横寸法が大きくなっている。そして、平面状態の平面部フィルム材３０に対して曲面部フィルム材３２を湾曲させ、平面部フィルム材３０の左・右の側縁部と曲面部フィルム材３２の左・右の側縁部とをそれぞれ互いに揃えて接着、例えば熱接着することにより、図１１に示したように、平面部フィルム材３０と曲面部フィルム材３２とで筒部３４が形成されるようにする。
【００２９】
平面部フィルム材３０と曲面部フィルム材３２とを熱接着して筒部３４を形成した後、図１０に示すように、曲面部フィルム材３２の上・下各縁部にそれぞれ襞３６を形成しつつ、平面部フィルム材３０の上縁部および下縁部と曲面部フィルム材３２の上縁部および下縁部とをそれぞれ熱接着して、筒部３４の上・下の開口をそれぞれ扁平状に閉塞する。最後に、フィルム材３０、３２の側縁部にノッチ４０を形成する。以上のような工程により、密封された１つの収容部３８が形設された試験管代用袋が製作される。
【００３０】
この試験管代用袋も、図１ないし図５に示した試験管代用袋と同様に、収容部３８が密封されているので、無菌状態に保たれた作業室内でその製作を行うようにすることにより、開封されるまで収容部３８の内部を無菌的・衛生的に保持することができる。また、この試験管代用袋は、片方の手の親指と人差し指およびもう一方の手の親指と人差し指とで、側縁部に形設されたノッチ４０を挟んでその両側をそれぞれ摘み、ノッチ４０を始端として袋を横方向に引き裂くことにより、収容部３８が容易に開封される。このようにして、密封された収容部３８が開封されると、図１２に斜視図を示すように、収容部３８の開封部分は、手を触れなくても曲面部フィルム材３２の弾性によって復元的に自然と大きく開口する。このため、ピペット等を使用して、大きく開いた開口部４２を通し、底部が閉塞された収容部３８内へ試料液を分注することができる。したがって、この試験管代用袋も、試験管として使用することが可能であり、この試験管代用袋を多数用意しておくようにすればよい。
【００３１】
また、この試験管代用袋も、図１ないし図５に示した試験管代用袋と同様に、可撓性を有するフィルム材で形成されているので、例えば、収容部３８内へ試料液を分注した後に希釈水を分注して、試料液を希釈するような場合においては、指先で袋の底部付近を何度か摘むことにより、簡便に試料液と希釈水とを均一に混合することができる。さらに、この試験管代用袋も、使用後に必要に応じて滅菌処理するなどすれば、ガラス製の試験管とは異なり一般ゴミとして廃棄することが可能である。
【００３２】
なお、上記した実施形態においては、収容部１８、３８を開封するための開封手段として、袋の側縁部における上縁部付近にノッチ２０、４０を形設したが、開封手段は、ノッチ以外のものであってもよく、例えば、平面部フィルム材１０、３０と曲面部フィルム材１２、３２との接着部分を袋の上辺から一定の幅で剥離することができるようにしたピーリング方式のものであってもよい。また、開封手段を特に設けないで、滅菌処置した鋏等の器具を使用して、密封された収容部を開封するようにしてもよい。
【００３３】
また、上記実施形態では、各収容部１８を個々に切り離すことができるようにするため、隣り合った各収容部１８間に断続的な切り目からなる切断線２２を加工形成したが、切断線は、断続的な切り目に限らず、例えば、フィルム材の厚みを線状に薄くして切断線を形成するようにしてもよい。また、切断線を特に設けないで、滅菌処置した鋏等の器具を使用して、各収容部１８を個々に切り離すようにしてもよい。
【００３４】
【発明の効果】
請求項１および請求項４に係る各発明の試験管代用袋は、従来のガラス製やプラスチック製の試験管に代えて使用することが可能であり、使用後には一般ゴミとして廃棄することができる。また、この試験管代用袋は、安価であり使い捨てが可能であるので、能率的にも、また経費の面からみても、従来の試験管を使用するのに比べて有利である。さらに、この試験管代用袋は嵩張らないので、保管のためのスペースをそれほど必要とせず、また運搬も容易であり、この面でも有利である。
【００３５】
請求項２に係る発明の試験管代用袋では、鋏等の器具を使用しなくても収容部を相互に切り離すことができる。
【００３６】
請求項３に係る発明の試験管代用袋では、断続的な切り目の部分で袋を切断することにより、収容部を相互に容易に切り離すことができる。
【００３７】
請求項５に係る発明の試験管代用袋では、鋏等の器具を使用しなくても収容部を開封することができる。
【００３８】
請求項６に係る発明の試験管代用袋では、ノッチを始端として袋を横方向に引き裂くことにより、収容部を容易に開封することができる。
【図面の簡単な説明】
【図１】この発明の実施形態の１例を示す試験管代用袋の正面図である。
【図２】図１に示した試験管代用袋の平面図である。
【図３】図１に示した試験管代用袋を図１の矢印Ａ方向から見た部分拡大平面図である。
【図４】図３のＢ部分をさらに拡大した平面図である。
【図５】図１のＶ−Ｖ矢視拡大断面図である。
【図６】図１に示した試験管代用袋の製作過程を示す斜視図である。
【図７】同じく、図１に示した試験管代用袋の製作過程を示す斜視図である。
【図８】図１に示した試験管代用袋の収容部を開封した状態を示す斜視図である。
【図９】図１に示した試験管代用袋の収容部を開封し個々に切り離した状態を示す斜視図である。
【図１０】図１に示した試験管代用袋とは異なる構成に係る発明の実施形態の１例を示す試験管代用袋の正面図である。
【図１１】図１０に示した試験管代用袋の製作過程を示す斜視図である。
【図１２】図１０に示した試験管代用袋の収容部を開封した状態を示す斜視図である。
【符号の説明】
１０、３０  平面部フィルム材
１２、３２  曲面部フィルム材
１４、３４  筒部
１６、３６  襞
１８、３８  収容部
２０、４０  ノッチ
２２  断続的な切り目からなる切断線
２４、４２  収容部の開口部
【図１】
2004267818.tif 000003
【図２】
2004267818.tif 000004
【図３】
2004267818.tif 000005
【図４】
2004267818.tif 000006
【図５】
2004267818.tif 000007
【図６】
2004267818.tif 000008
【図７】
2004267818.tif 000009
【図８】
2004267818.tif 000010
【図９】
2004267818.tif 000011
【図１０】
2004267818.tif 000012
【図１１】
2004267818.tif 000013
【図１２】
2004267818.tif 000014